(57)【要約】【課題】開口に把手を設けたキャディバッグの使い勝手を良くする。【解決手段】キャディバッグ１の開口２のセパレータ１０は、枠部１１と、該枠部１１の中央を左右方向に横断する横仕切り１２と、該横仕切り１２よりも前面側において枠部１１を横断する横仕切り１３と、横仕切り１２，１３の左右方向中央を結ぶ縦仕切り１４と、横仕切り１３の左右方向中央と枠部１１の前面側とを結ぶ縦仕切り１５と、横仕切り１２よりも後方側に設けられたＵ字形仕切り１６と、把手１７を有する。横仕切り１２の左右方向の中央と枠部１１の前面側との間に、横仕切り１３を飛び越えるようにして把手１７が架設されている。【選択図】図１
2007159983.tif 000002
【特許請求の範囲】
【請求項１】
ショルダーベルトが前面側に設けられ、上部にゴルフクラブ出入用の開口を有し、該開口に把手が設けられているゴルフクラブ用キャディバッグにおいて、
該把手を前後方向に設けたことを特徴とするキャディバッグ。
【請求項２】
請求項１において、前記開口に該開口を区画するセパレータが設けられており、前記把手は、一端が該開口中央付近において該セパレータに連なっており、該一端から後方に向って延設されていることを特徴とするキャディバッグ。
【請求項３】
請求項２において、該把手の他端が該セパレータに連なっていることを特徴とするキャディバッグ。
【請求項４】
請求項２又は３において、該把手とセパレータとが一体に成形されていることを特徴とするキャディバッグ。
【発明の詳細な説明】
【技術分野】
【０００１】
本発明はゴルフクラブ用キャディバッグに関するものであり、特に上部の開口に把手を設けたキャディバッグに関する。
【背景技術】
【０００２】
ゴルフクラブ用キャディバッグは、特開２０００−２３７３６１号の従来技術の欄にも記載されている通り、前面にショルダーベルトとグリップが取り付けられている。多くのキャディバッグは、この該前面の上部に把手を設けている。また、ショルダーベルトを取り付けた部分の下方に、ゴルフボールやグローブ、ティー等の小物を収容する小物収容部を設けている。該前面と反対側の後面には、上下方向に延在し、大物を収容可能な大物収容部を設けることが多い。
【０００３】
このキャディバッグは、カートに搭載される場合、該前面が斜め上向きとなるように配置される。
【０００４】
上記特開２０００−２３７３６１号の図１，３，４には、キャディバッグの上部の開口を左右に横断するように把手を設けることが記載されている。このように開口に把手を設けた場合、キャディバッグを鉛直姿勢に保ったまま持ち運ぶことができる。
【特許文献１】特開２０００−２３７３６１号
【発明の開示】
【発明が解決しようとする課題】
【０００５】
上記特開２０００−２３７３６１号の図１，３，４のように、開口の把手を左右横断方向に設けた場合、把手よりも奥側の開口にゴルフクラブを出し入れしにくい。特に、キャディバッグをカートに積んだ場合には、把手よりも後面側（奥側）の開口後部は、把手の後背側かつ斜め下側となる。また、この開口前部には使用頻度の高いドライバーなどシャフトの長いクラブを収容することが通常である。そのため、この開口後部にゴルフクラブを出し入れするときに把手が邪魔になり、使い勝手が悪い。
【０００６】
本発明は、かかる問題点を解決し、開口に把手を設けたキャディバッグの使い勝手を良くすることを目的とする。
【課題を解決するための手段】
【０００７】
請求項１のキャディバッグは、ショルダーベルトが前面側に設けられ、上部にゴルフクラブ出入用の開口を有し、該開口に把手が設けられているゴルフクラブ用キャディバッグにおいて、該把手を前後方向に設けたことを特徴とするものである。
【０００８】
請求項２のキャディバッグは、請求項１において、前記開口に該開口を区画するセパレータが設けられており、前記把手は、一端が該開口中央付近において該セパレータに連なっており、該一端から後方に向って延設されていることを特徴とするものである。
【０００９】
請求項３のキャディバッグは、請求項２において、該把手の他端が該セパレータに連なっていることを特徴とするものである。
【００１０】
請求項４のキャディバッグは、請求項２又は３において、該把手とセパレータとが一体に成形されていることを特徴とするものである。
【発明の効果】
【００１１】
本発明では、キャディバッグ上部の開口に設けた把手が前後方向に延在しているため、開口後部にゴルフクラブを出し入れするときに把手が殆ど邪魔にならず、使い勝手が良い。
【００１２】
把手を開口の後部側に設けた場合は、開口後部側へ重量の重いアイアンゴルフクラブを入れるためカートに斜めに積んだキャディバッグを垂直に起してから上方に持ち上げられるので、非常に使い勝手が良い。
【００１３】
逆に、把手を開口の前部側に設けた場合には、開口後部側へのゴルフクラブの出し入れが一層容易となる。
【００１４】
なお、開口後部側には、ウェッジなどシャフトの短いゴルフクラブを入れることが通常であり、把手が存在していてもゴルフクラブの出し入れにはあまり支障はない。
【００１５】
把手をセパレータと一体化した場合には、セパレータをキャディバッグに取り付けることにより併せて把手も設置することができる。
【発明を実施するための最良の形態】
【００１６】
以下、図面を参照して実施の形態について説明する。第１図は実施の形態に係るキャディバッグの上部の斜視図、第２図はセパレータの斜視図である。
【００１７】
キャディバッグ１の上部にゴルフクラブを出し入れするための開口２が設けられている。キャディバッグ１の前面にはショルダーベルト３とグリップ４とが設けられている。ショルダーベルト３はキャディバッグ１を担ぐ際に肩にかけるものである。グリップ４は、該前面の上端近傍に設けられている。該前面の下部には小物入れ（図示略）が設けられている。キャディバッグ１の後面には背袋５が設けられている。
【００１８】
開口２にセパレータ１０が設けられている。第２図の通り、このセパレータ１０は、開口２の内周面に内嵌され、リベット等の留付具によって固定される枠部１１と、該枠部１１の中央を左右方向に横断する横仕切り１２と、該横仕切り１２よりも後面側において枠部１１を横断する横仕切り１３と、横仕切り１２，１３の左右方向中央を結ぶ縦仕切り１４と、横仕切り１３の左右方向中央と枠部１１の前面側とを結ぶ縦仕切り１５と、横仕切り１２よりも前方側に設けられたＵ字形仕切り１６と、把手１７を有する。
【００１９】
Ｕ字形仕切り１６は、横仕切り１２の左右方向の中央に連なり、そこから二股に分かれて枠部１１の前面側に向って延在し、該前面側に連なっている。
【００２０】
横仕切り１２の左右方向の中央と枠部１１の後面側との間に、横仕切り１３を飛び越えるようにして把手１７が架設されている。把手１７の下側には、手を差し込み得る間隔があいている。
【００２１】
なお、このセパレータ１０はポリプロピレン、ポリエチレンなどの合成樹脂により全体として一体に成形されている。セパレータ１０の表面は、必要に応じフェルトなどによって覆われてもよい。
【００２２】
このセパレータ１０を備えたキャディバッグ１は、把手１７を掴んで略鉛直姿勢としたまま持ち運ぶことができる。
【００２３】
このキャディバッグ１にゴルフクラブを収納する場合、横仕切り１３よりも後面側のスペース２０にはウェッジなどのシャフトの短いアイアンを収容し、横仕切り１２，１３間のスペース２１にはショートアイアンやミドルアイアンなどのシャフトがやや短いクラブを収容し、横仕切り１２よりも前方側のスペース２２，２３にはウッドなどシャフトの長いクラブを収容するのが好適である。把手１７が後面側に前後方向に配置されているので、シャフトの短いクラブをスペース２０，２１に出し入れする際に把手１７が邪魔にならず、出し入れが容易である。
【００２４】
また、アイアンはクラブ重量が重いので、把手１７が後面側にある方が縦積みしているゴルフカートなどから取出しやすい。
【００２５】
更に、把手１７が前後方向となっているので、パターなどの短いクラブをスペース２３に出し入れするときに把手１７は殆ど邪魔にならず、使い勝手が良い。
【００２６】
上記実施の形態は本発明の一例であり、本発明は図示以外の形態をもとりうる。
【図面の簡単な説明】
【００２７】
【図１】実施の形態に係るキャディバッグの上部の斜視図である。
【図２】セパレータの斜視図である。
【符号の説明】
【００２８】
１  キャディバッグ
１０  セパレータ
１７  把手
【図１】
2007159983.tif 000003
【図２】
2007159983.tif 000004